(57)【要約】      （修正有）【課題】起立設置の安定性を高め、且つ特別な支持部品を設置する必要がなく、独立して起立設置し、仕様が便利で、付加価値が高まる立体包装袋構造を提供する。【解決手段】立体包装袋構造は、少なくとも一つの包装袋１０を含む。それは二正面１１、二側面１２及び一底面１３が連接して該包装袋１０を形成し、且つ二側面１２は、それぞれ二側辺１４及び一底辺１５を備えた三角形であり、該二側辺１４は、それぞれ両正面１１と相互に接し，二正面１１を相互に接する。底辺１５は底面１３と相互に接し納置空間１６を備えた立体袋体を構成する。該包装袋１０は不透光の金属材質から製造される。少なくとも一つの美容セット２０は、該包装袋１０の納置空間１６内に入れ、そのうち該美容セットは密封袋２１内にフィルム片２２及びエッセンス液２３を置き、それは美容化粧品、ヘアケア化粧品、芳香化粧品、スキンケア化粧品、保健衛生化粧品及び美髮化粧品のうちの一つ及び／又はその組み合わせでもよい。【選択図】図１
0003193719.tif 000002
【実用新案登録請求の範囲】
【請求項１】
立体包装袋構造において、少なくとも
二つの正面、二つの側面及び一つの底面が連接区分して該包装袋を形成し、且つ該二つの側面はそれぞれ二つの側辺及び一つの底辺の三角形を備え、該二つの側辺はそれぞれ両正面と相互に接し、二つの正面を相互に押さえて接合し、底辺は底面と相互に接し、納置空間を備えた立体袋体を構成し、該包装袋は不透光の金属材質から製造される包装体と、
該包装袋の納置空間に少なくとも一つの美容セットと、
該包装袋を開封もしくは封止する開閉セットを含むことを特徴とする立体包装袋構造。
【請求項２】
前記開閉セットは、滑槽及び凸条を備えて構成し、該滑槽は第一連接片を備え、該第一連接片は該包装袋内に設置し、且つ二つの正面間に位置して固定し、また該凸条は正面内側に設置するものであり、
もしくは該滑槽第一連接片を備え、及び凸条には第二連接片を備え、また該第一連接片は包装袋内に設置し、且つ二つの正面間に位置して固定し、該凸条は第二連接片によって正面内側で圧合することを特徴とする請求項１記載の立体包装袋構造。
【請求項３】
前記美容セットは、密封袋内にフィルム片及びエッセンス液を入れるか、もしくは瓶体内に美容液を入れるか、もしくは瓶体内に美容クリームを入れるもので、該フィルム片はフェスマスク、アイマスク、フットマスク及びハンドマスク、そのうちの一種もしくは及びその組合せであることを特徴とする請求項１記載の立体包装袋構造。
【考案の詳細な説明】
【技術分野】
【０００１】
本考案は、立体包装袋構造に関するもので、特に一種の立体包装袋構造に置くのに用いる。
【背景技術】
【０００２】
現在、市場において、多くの商品は包装袋のパッケージング携帯で展示販売し、瓶缶包装形態が環境保護にそぐわない欠点を改善している。日常生活での買い物、細々とした物品を入れる等、また一般のケア用品包装袋は、通常正方形、長方形の包装袋を用い、包装袋上縁には開口を設け、内容物を入れた後その開口を閉じる。また一般の包装袋は、長方形状のフィルム片体を設け、フィルム片体を半分に折りたたんだ後、その底部及びそのうちの二側辺を熱圧、貼合もしくはその他加工方式で封止し、上方が開口の包装袋を構成する。但し、この包装袋二側辺は封止されるため、折り畳み構造なく、使用者が多くの物品を入れる時、包装袋二側辺は開けることができず、包装袋内部に入れる空間に制限があるため、理想的でない。
【０００３】
故に、包装袋の構造形態は、異なる内容物に合わせて異なる設計で対応することになり、そのため、現在の市場で見られる包装袋製品は、相当に多種多様な構造がある。該包装袋に物品を入れた時、該包装袋が軟質袋体であり、且つ何の重心配置もしくは支持がない場合、該包装袋は安定して起立した形態で設置することはできず、該包装袋は単独で起立して展示販売できないため、平置きするか、もしくはその他の支持工具を用いて配置するしかない。このような設置方式は該包装袋本体の商品名称もしくは商品パターンに影響を与え、最良の展示効果を達成できない。
【０００４】
現在、公知包装袋の構造設計は、未だ改善できていない点があり、更に一歩空間を改善する必要がある。例として包装袋の起立具合の良否、起立の安定性、展示効果、納置最大体積、内容物取出の便利性等々の項目がある。公知の各包装袋製品は往々にして長所があっても全体的に兼備に欠け、使用上最良の実用性を達成できない。
【０００５】
いかにして上述の欠点を改善するか、この業界に従事して関連企業で研究改善の所在を確かめ、本考案者は技術的な困難点を改善する。
【考案の概要】
【考案が解決しようとする課題】
【０００６】
解決しようとする問題点は、起立安定性が悪いため、展示効果が低くなり、納置空間が狭く、内容物の取出時の便利性も低い点である。
【課題を解決するための手段】
【０００７】
本考案は、少なくとも一つの包装袋、少なくとも一つの美容セット及び一つの開閉セットを含み、二正面、二側面及び一底面が連接区分して該包装袋を構成し、納置空間を備えた立体袋体となる。該包装袋は不透光の金属材質から製造される。該少なくとも一つの美容セットは該包装袋の納置空間に設置する。該開閉セットは該包装袋に設置し、開封もしくは封止し、この不透光の特性によって紫外線抵抗、内容物変質防止及び内容物湿気防止を達成し、その側面に備えた三角形構造によって，構造が安定してしっかりと立つ包装袋を形成し、展示と収納効果を備えた包装袋となり、確実で安定した状態での起立を実現する。また、物品を入れた後重心が底部に移ることを最も主要な特徴とする。
【考案の効果】
【０００８】
本考案の立体包装袋構造は、起立設置の安定性を高め、且つ特別な支持部品を設置する必要がなく、独立して起立設置し、仕様が便利で、付加価値が高まるという利点がある。
【図面の簡単な説明】
【０００９】
【図１】本考案の外観立体透視指示図である。
【図２】本考案の外観側面透視指示図である。
【図３】本考案の実施例の第一局部指示図である。
【図４】本考案の実施例の第二局部指示図である。
【図５】本考案の正面の外観指示図である。
【図６】本考案の実施例の指示図である。
【考案を実施するための形態】
【００１０】
本考案は考案者が上述の問題と欠点を鑑み、関連資料を収集し、他方からの評価及び考えを考慮し、更にはこの業界での長年の経験を活かして、たゆまぬ試作及び改良により、立体包装袋構造の実用新案が誕生した。
【００１１】
主に二正面、二側面及び一底面が連接区分して該包装袋を形成し、且つ二側面はそれぞれ二側辺及び一底辺の三角形を備え、該二側辺は、それぞれ両正面と相互に接し，二正面を相互に接し、底辺は底面と相互に接して納置空間を備えた立体袋体を構成する。該包装袋は不透光の金属材質から製造されるこの包装袋の不透光特性によって、紫外線抵抗、内容物変質防止及び内容物湿気防止を達成する。その側面に備えた三角形構造によって，その構造が安定してしっかりと立つ包装袋、展示と収納効果を備えた包装袋を形成し、確実で安定した状態での起立を実現する。納置空間を備えた立体袋体によって、少なくとも一つの美容セットを入れ、開閉セットで重複して開封もしくは封止して使用する立体包装袋構造を提供することを本考案の主な目的とする。
【００１２】
上述の問題を達成するため、本考案の一種の立体包装袋構造は、少なくとも包装袋を含み、二正面、二側面及び一底面が連接区分して該包装袋を形成する。且つ二側面はそれぞれ二側辺及び一底辺の三角形を備え、また該二側辺はそれぞれ両正面と相互に接し，二正面を相互に押させて接し、底辺は底面と相互に接し、納置空間を備えた立体袋体を構成する。該包装袋は不透光の金属材質から製造される。少なくとも一つの美容セットを該包装袋の納置空間に入れ、開閉セットは該包装袋に設置し、開封もしくは封止する。
【００１３】
上述のとおり、本考案が提示する立体包装袋構造において、この包装袋の不透光特性が紫外線抵抗、内容物変質防止及び内容物湿気防止を達成する。その側面に備えた三角形構造によって，その構造は安定してしっかりと立つ包装袋となり、展示効果、収納效果が良好な包装袋であり、確実で安定した状態での起立を実現する。同時に納置空間を備え、該少なくとも一つの美容セットを納置する。美容セットを入れた後、更に重心全体は底部に移行し、設置の安定性が高まり、特別なその他支持部品なしに独立起立して設置し、開閉セットによって重複して開封もしくは封止使用し、便利性及び付加価値が高まる。
【実施例】
【００１４】
本考案の技術的特徴、内容及び長所、その効果を説明するため、本考案は図式と共に、実施例を挙げて以下のように説明する。その主旨は説明するために提示したものであり、本考案実施後の請求範囲を制限するものではないことをここに述べておく。
【００１５】
図に示す図１及び図２は、本考案の外観立体透視指示図と本考案の外観側面透視指示図である。図に示すとおり、本考案の立体包装袋構造は、少なくとも一つの包装袋１０を含む。それは二正面１１、二側面１２及び一底面１３が連接して該包装袋１０を形成し、且つ二側面１２は、それぞれ二側辺１４及び一底辺１５を備えた三角形であり、該二側辺１４は、それぞれ両正面１１と相互に接し，二正面１１を相互に接する。底辺１５は底面１３と相互に接し納置空間１６を備えた立体袋体を構成する。該包装袋１０は不透光の金属材質から製造される。少なくとも一つの美容セット２０は、該包装袋１０の納置空間１６内に入れ、そのうち該美容セットは密封袋２１内にフィルム片２２及びエッセンス液２３を置き、それは美容化粧品、ヘアケア化粧品、芳香化粧品、スキンケア化粧品、保健衛生化粧品及び美髮化粧品のうちの一つ及び／又はその組み合わせでもよい。及び開閉セット３０は、該包装袋１０に設置して開封もしくは封止を行う。この包装袋１０の不透光の特性によって紫外線抵抗、内容物変質防止及び内容物湿気防止を達成し、またその側面に備えた三角形構造によって，その構造が安定してしっかりと立つ包装袋、展示と収納効果を備えた包装袋を形成し、確実で安定した状態での起立を実現する。
【００１６】
そのうち、該金属材質はスズ箔もしくはアルミ箔の材質で製造し、紫外線抵抗、同時に内容物変質防止及び防湿の効果を備える。次に、該包装袋１０の外表面は印刷層を設置し、商品のラベルを印刷し、消費者が識別できるようにする。更に、該開閉セット３０は、該包装袋の一つの正面１１もしくは二つの正面に設置し、単一正面設置に制限されず、使用者が内容物を取り出しやすい便利性を優先する。
【００１７】
図３及び図４に示すのは、本考案実施例の第一局部指示図及び実施例の第二局部指示図である。該開閉セット３０は滑槽３１及び凸条３２を備えて構成する。該開閉セット３０上方には切取段３３を設置し、そのうち図３に示すとおり、該凸条３２は該正面１１内側に設置し、該滑槽３１は該別の正面１１内側に設置する。別の一実施例として、該開閉セット３０は、図４に示すとおり、該滑槽３１は第一連接片３４を備える。また該第一連接片３４は該包装袋内に設置し、且つ二つの正面１１の間に位置して固定する。更に該凸条３２は正面１１内側に設置する。もしくは該開閉セット３０は該凸条３２によって該第一連接片３４を備えるのも良い。該第一連接片３４は該包装袋１０内側に設置し、且つ二つの正面１１の間に位置して固定する。該滑槽３１は正面１１内側に設置する。またもしくは該開閉セット３０は該滑槽３１により、第一連接片３４を備え、及び凸条３２は第二連接片(図未提示)を備えても良い。また、該第一連接片３４は包装袋１０内に設置し、且つ二つの正面１１間に位置して固定する。該凸条３２は該第二連接片によって正面１１内側で圧合し、該開閉セット３０によって重複開閉使用ができ、使用者が包装袋の内容物を出し入れするのに便利であり、同時に内容物の変質防止及び防湿に効果を備える。
【００１８】
図５は本考案の立体包装袋構造の正面の外観指示図である。該包装袋１０は正面１１、二側面１２及び該底面１３を備え、連接区分して該包装袋１０を形成する。該開閉セット３０は該包装袋１０の一つの正面１１に設置し、開封もしくは封止する。該開閉セット３０上方には該切取段３３を設置し、使用者に内容物を取り出しやすくする。
【００１９】
強調することとして、該包装体１０は該納置空間を備え、該納置空間は美容セット２０を入れるのに用い、また該美容セット２０は密封袋内に入れたフィルム片及びエッセンス液とする。該美容セット２０は美容化粧品、ヘアケア化粧品、芳香化粧品、スキンケア化粧品、保健衛生化粧品及び美髮化粧品でもよく、そのうちの一つ及び／又はその組合せでもよい。そのうち，該美容セット２０は、瓶体２４内に美容液を入れてもよい。また、図６に示すとおり、該美容セット２０は瓶体２４内に美容クリームを入れてもよく、使用者が様々な組合せをすることができる。
【００２０】
伝統的な公知技術と比較して、本考案が提示する立体包装袋構造は、包装袋１０の不透光の特性によって、紫外線抵抗、内容物変質防止及び内容物湿気防止を達成する。また、その側面に備えた三角形構造によって，その構造が安定してしっかりと立つ包装袋であり、展示効果及び収納効果を備えた包装袋であり、確実で安定した状態での起立を実現する。同時に納置空間を備え、該少なくとも一美容セットを入れ、美容セットを入れた後更に重心が底部に集中するため、起立設置の安定性が向上し、その他支持部部品を使用することなく独立して起立設置し、更に開閉セットによって重複して開封もしくは封止使用し、便利性と付加価値が高まる。
【００２１】
上述のとおり、本考案は公知の技術を超え、確実に求める効果を達成する。更に本考案は未だ未公開であり、且つ進歩性、実用性を備え、特許の申請条件に符合するため、申請する。
【００２２】
上述の実施例は本考案の技術思想及び特徴を説明したものであり、その目的は当該領域に習熟した者にとって、本考案の内容が理解でき、実施できるようにするものである。つまり、本考案の請求範囲は、本考案の精神から乖離しない各種の変化及び修飾は、本考案の請求範囲に含まれる。
【符号の説明】
【００２３】
１０     包装袋
１１          正面
１２          側面
１３          底面
１４          側辺
１５          底辺
１６          納置空間
２０          美容セット
２１          密封袋
２２          フィルム片
２３          エッセンス液
２４          瓶体
３０          開閉セット
３１          滑槽
３２          凸条
３３          切取段
３４          第一連接片
【図１】
0003193719.tif 000003
【図２】
0003193719.tif 000004
【図３】
0003193719.tif 000005
【図４】
0003193719.tif 000006
【図５】
0003193719.tif 000007
【図６】
0003193719.tif 000008